【事件の表示】
　特願２００５−　７４７４１「オフセット媒体上におけるインクジェット画像形成」拒絶査定不服審判事件〔平成１７年１０月　６日出願公開、特開２００５−２７１５９０〕について、次のとおり審決する。
【結　論】
　本件審判の請求は、成り立たない。
【理　由】
第１　手続の経緯
　本願は、平成１７年３月１６日（パリ条約による優先権主張２００４年３月１６日、米国）の出願であって、平成２０年６月１１日付けで手続補正がなされ、同年７月９日付けで拒絶査定がなされ、これに対して、同年１０月１４日付けで拒絶査定不服審判の請求がなされるとともに、同年１１月６日付けで手続補正がなされ、当審において、平成２２年７月１５日付けで拒絶の理由（以下「当審拒絶理由」という。）の通知がなされ、平成２３年１月２０日付けで手続補正がなされたものである。
　
第２　本願発明
　本願の請求項１ないし１２に係る発明は、平成２３年１月２０日付けの手続補正により補正された明細書及び特許請求の範囲の記載からみて、特許請求の範囲の請求項１ないし１２にそれぞれ記載された事項により特定されるものと認められるところ、請求項１及び８に係る発明（以下「本願発明１」及び「本願発明２」という。）は、次のとおりのものである。
　
「【請求項１】
　耐久性のあるインクジェットインク画像を印刷するシステムであって、
　ａ）疎水性のコーティングを含むオフセット媒体と、
　ｂ）顔料着色剤を含み、且つ前記オフセット媒体上にインクジェットできるよう構成されているインクジェットインクと、
　ｃ）前記インクジェットインクの構成成分に反応性を示す沈殿剤を含有する定着剤組成物であって、前記オフセット媒体上において、前記インクジェットインクに関して下刷りされるよう構成されており、且つ前記沈殿剤が０．１ｗｔ％〜１０ｗｔ％にて存在する定着剤組成物と、
　ｄ）前記インクジェットインクのインクジェット後に、前記オフセット媒体に圧力をかけられるよう構成されたカレンダ処理装置と
を含む、システム。
【請求項８】
　オフセット媒体上に画像を印刷する方法であって、
　（ａ）顔料着色剤を含むインクジェットインクを、疎水性のコーティングを含むオフセット媒体上にインクジェットして印刷画像を形成するステップと、
　（ｂ）前記インクジェットインクに関して定着剤組成物を下刷りするステップであって、前記定着剤組成物が、前記インクジェットインクの構成成分に反応性を示す沈殿剤を含む、ステップと、
　（ｃ）前記印刷画像に圧力をかけるステップと、
　を包含する方法。」
　
第３　引用刊行物及び引用発明
１　当審拒絶理由に引用された、本願の優先日前に頒布された刊行物である国際公開第０２／２６９０１号（以下「引用例１」という。）には、次の事項が記載されている（下線は審決で付した。以下同じ。）。
　
（１）「
CLAIMS
We Claim:
　　1.An aqueous ink composition suitable for ink jet printing on offset media, said ink composition comprising effective amount of:
　　a)an ink colorant; and
　　b)a nonionic surfactant having an HLB value from about 4 to 14.
　
　　2. The aqueous ink composition of claim 1 further comprising a second nonionic surfactant having an HLB value from about 4 to 14.
　
　　3. The aqueous ink composition of claim 1 wherein the ink colorant is selected from the group consisting of pigments and dyes, and wherein the ink colorant is present at from about 0.1% to 10% by weight.」（第２１ページ第１行〜第１１行）
（当審訳：請求の範囲
我々は請求する：
１．
オフセット媒体上にインクジェット印刷するのに適した水性インク組成物であって
ａ）　
インク着色剤
ｂ）　約４〜１４のＨＬＢ値を有する非イオン性界面活性剤、
を含有する水性インク組成物
２．さらに、約４〜１４のＨＬＢ値を有する第二の非イオン性界面活性剤を含有する請求項１に記載の水性インク組成物。
３．
前記インク着色剤は顔料
請求項１に記載の水性インク組成物
　
（２）「Papers used for ink jet printing have typically included high-quality or wood-free papers designed to have high ink absorptivity or papers having a coated porous surface. These papers are functionally good for ink jet printing because the inks may be absorbed readily and dry quickly. However, such papers often do not allow for a crisp or sharp image.
　　Conversely, with commercial offset paper, a nonporous smooth surface may provide a good printing surface for a crisp image. However, commercial offset coated papers are significantly different than office plain papers or photo/glossy papers specifically designed for ink jet media. Typically, with commercial offset papers, the smooth non-porous surface is comprised of a coating which requires more time for aqueous fluids to penetrate than standard paper. This is because diffusion-type adsorption must generally occur with offset papers as compared with capillary-type absorption which typically occurs with respect to standard office paper and some ink jet specialty papers. Additionally, offset coatings contain polymers that are more hydrophobic, e. g., styrene-butadiene based, than paper coatings specifically designed for ink jet ink, e. g., water-soluble polymers such as polyvinyl alcohol. Thus, because offset coatings are typically hydrophobic, have poor penetration, and are smooth and non-porous, these coatings tend to interact poorly with water-based inks. In addition, classic ink jet solvents such as glycols and diols tend to perform poorly on these coatings, showing long dry times and poor spreading characteristics.」（第３ページ第３行〜第２２行）
（当審訳：インクジェット印刷に使用される用紙は、典型的に、高いインク吸収率を示すよう設計された高品質又は上質紙、或いはコーティングされた多孔性表面を有する紙を包含するものであった。これらの用紙は、インクを容易に吸収でき且つ急速に乾燥できるため、インクジェット印刷用として機能上優れている。しかし、こうした用紙では、多くの場合、くっきりした（ｃｒｉｓｐ）又はシャープな画像は得られない。
　逆に、市販のオフセット紙に関して、非多孔性の平滑表面は、くっきりした画像について良好な印刷用表面を提供することがある。しかし、市販のオフセットコート紙は、オフイス普通紙又はインクジェット媒体用として特に考案された写真／光沢紙とは著しく異なっている。典型的には、市販の
オフセット媒体に関し、平滑な非多孔性表面は、コーティングによって構成されており、このコーティングは水性の液体が浸透するのに標準紙よりも時間を要する
　
（３）上記（１）から、引用例１には、上記（１）の水性インク組成物をオフセット媒体上にインクジェット印刷する装置が、実質的に記載されているといえる。
　
（４）上記（１）ないし（３）から、引用例１には、次の発明（以下「引用発明１」という。）が記載されていると認められる。
　
「顔料からなるインク着色剤を含有する水性インク組成物を、水性の液体が浸透するのに標準紙よりも時間を要するコーティングによって構成された平滑な非多孔性表面を有するオフセット媒体上に、インクジェット印刷する装置。」
　
２　当審拒絶理由に引用された、本願の優先日前に頒布された刊行物である特開２００３−１１３５３号公報（以下「引用例２」という。）には、次の事項が図とともに記載されている
　
（１）「【発明の詳細な説明】
【０００１】
【発明の属する技術分野】本発明は、
インクジェット印刷における膨潤性媒体を処理するための方法
印刷直前に媒体を流体
で前処理してインクの浸透を加速し且つ凝集を低減させる方法
【０００２】
【従来の技術】膨潤性インク受容層（例えば、ゼラチン、及びポリビニルピロリドンなどのその他のヒドロゲル及びポリビニルアルコール又はポリエチレンオキシドを含む共重合体）は、通常、インクジェット写真画像化に用いられている。これらの媒体（典型的にはコート紙）は、（普通紙又はコート紙などの）多孔性媒体より優れた耐光性と耐久性を提供するのに役立ち、その上、画像品質を改善する時もある。しかし、
膨潤性インク受容層は、しばしば、インクの取込みが遅いという問題にさらされる。インク受容層が膨潤し且つ表面からインクを吸収するのに要する時間は、しばしば、多孔性媒体がインクを吸収するのに要する時間より長い。高速印刷の場合、インクは、それが十分吸収される以前に濁るか又は「凝集する」ことがあり、これが達成できる画像品質を制限する
【０００３】
【発明が解決しようとする課題】本発明の目的は、凝集を低減し且つ画像品質を改善する、費用の掛からない方法と装置を提供することにある。」
　
（２）「【００１８】本発明の装置は、他方式の媒体前処理にも使用することができる。例えば、
顔料インクで印刷する時、顔料キャリヤーと相互に作用して顔料を急速に沈殿させる溶液
【００１９】アニオンポリマー分散剤の吸収によって安定化された顔料、アニオン電荷をその表面に有する自己分散型顔料、あるいはアニオン染料に関しては、前処理流体は、顔料又は染料のアニオン成分と不溶性塩を形成するカチオン成分（例えば、Ｃａ２＋、Ｍｇ２＋又はＦｅ３＋などの多価金属カチオン、ポリエチレンアミン、ポリエチレンイミン又は高分子第四級アミンなどのカチオンポリマー、又はカチオン界面活性剤）を含み得る。インクが処理された媒体上に堆積されると、前処理流体のカチオン成分がインクのアニオン成分と塩を形成し、これが溶液から急速に発現（クラッシュアウト）される。溶液からの染料又は顔料の移動が非常に急速なため、染料又は顔料の分散はわずかで、結果的にエッジ明瞭度が改善される。当然ながら、この技術は、前処理流体にアニオン（例えば、−ＳＯ３−又はＣＯＯ−基を含有するポリマー又は界面活性剤）を含めることによって、カチオン染料及びカチオン性安定化顔料を安定化するのにも使用することができる。
【００２０】これら
前処理流体の沈殿剤は、インクの浸透を加速するのに用いられる湿潤剤及び界面活性剤と共に用いる
　
（３）上記（１）及び（２）から、引用例２には、次の発明（以下「引用発明２」という。）が記載されていると認められる。
　
「インクジェット印刷における膨潤性媒体を処理するための方法であって、
　前記膨潤性媒体が膨潤し且つ表面からインクを吸収するのに要する時間は、しばしば、多孔性媒体がインクを吸収するのに要する時間より長く、高速印刷の場合、インクは、それが十分吸収される以前に濁るか又は凝集することがあり、画像品質が制限されるという課題を解決するために、
　顔料インクで印刷する時、印刷直前に媒体を、顔料キャリヤーと相互に作用して顔料を急速に沈殿させる沈殿剤、インクの浸透を加速するのに用いられる湿潤剤及び界面活性剤を含む溶液で前処理して、インクの浸透を加速し且つ凝集を低減させる方法。」
　
第４　対比・判断
１　本願発明１について
（１）対比
　本願発明１と引用発明１とを対比する。
　ア　引用発明１の「顔料からなるインク着色剤」、「『インクジェット印刷』される『水性インク組成物』」、「水性の液体が浸透するのに標準紙よりも時間を要するコーティングによって構成された平滑な非多孔性表面を有するオフセット媒体」及び「インクジェット印刷する」は、それぞれ、本願発明１の「顔料着色剤」、「インクジェットできるよう構成されているインクジェットインク」、「疎水性のコーティングを含むオフセット媒体」及び「インクジェットインク画像を印刷する」に相当する。
　
　イ　引用発明１の「装置」は、水性インク組成物及びオフセット媒体を含むものであるから、本願発明１の「システム」に相当する。
　
　ウ　上記ア及びイから、本願発明１と引用発明１とは、
「インクジェットインク画像を印刷するシステムであって、
　ａ）疎水性のコーティングを含むオフセット媒体と、
　ｂ）顔料着色剤を含み、且つ前記オフセット媒体上にインクジェットできるよう構成されているインクジェットインクと
を含む、システム。」
である点で一致し、次の点で相違する。
　
相違点：
　前記システムが、本願発明１では、「前記インクジェットインクの構成成分に反応性を示す沈殿剤を含有する定着剤組成物であって、前記オフセット媒体上において、前記インクジェットインクに関して下刷りされるよう構成されており、且つ前記沈殿剤が０．１ｗｔ％〜１０ｗｔ％にて存在する定着剤組成物」及び「前記インクジェットインクのインクジェット後に、前記オフセット媒体に圧力をかけられるよう構成されたカレンダ処理装置」を含み、「耐久性のある」インクジェットインク画像を印刷するものであるのに対して、引用発明１では、そのようなものでない点。
　
（２）判断
　上記相違点について検討する。
　ア　引用例２には、「インクジェット印刷における膨潤性媒体を処理するための方法であって、前記膨潤性媒体が膨潤し且つ表面からインクを吸収するのに要する時間は、しばしば、多孔性媒体がインクを吸収するのに要する時間より長く、高速印刷の場合、インクは、それが十分吸収される以前に濁るか又は凝集することがあり、画像品質が制限されるという課題を解決するために、顔料インクで印刷する時、印刷直前に媒体を、顔料キャリヤーと相互に作用して顔料を急速に沈殿させる沈殿剤、インクの浸透を加速するのに用いられる湿潤剤及び界面活性剤を含む溶液で前処理して、インクの浸透を加速し且つ凝集を低減させる方法。」である引用発明２が記載されている（上記第３の２（３）参照。）ところ、前記溶液における沈殿剤、湿潤剤及び界面活性剤の含有量は、いずれも当業者が適宜決定すべき設計事項というべきものである。
　
　イ　引用発明１の「オフセット媒体」と引用発明２の「膨潤性媒体」とは、インク吸収性が多孔性媒体よりも劣る媒体である点で共通する。
　
　ウ　用紙上のインクをヒートローラで押圧し、用紙の種類、インク吸収性、膨潤性等によらずに、インクを用紙に強制的に定着させるインクジェットプリンタは、本願の優先日前に周知である（以下「周知技術」という。例．特開２００１−３２８２４８号公報（【０００４】〜【０００７】参照。）、特開２０００−１０３０４４号公報（【００４９】〜【００５１】参照。））。
　
　エ　上記アないしウから、引用発明１において、水性の液体が浸透するのに標準紙よりも時間を要するコーティングによって構成された平滑な非多孔性表面を有するオフセット媒体における顔料インクの浸透を加速し且つ凝集を低減させるために、印刷直前にオフセット媒体を、顔料キャリヤーと相互に作用して顔料を急速に沈殿させる沈殿剤０．１重量％〜１０重量％、インクの浸透を加速するのに用いられる湿潤剤及び界面活性剤を含む溶液で前処理するとともに、印刷後にオフセット媒体上に沈殿した顔料をヒートローラで押圧し、当該顔料をオフセット媒体に強制的に定着させることとすることは、当業者が、引用発明２及び周知技術に基づいて容易に想到し得たことである。
　
　オ　上記エの「『印刷直前』に『オフセット媒体』を『前処理』するための『顔料キャリヤーと相互に作用して顔料を急速に沈殿させる沈殿剤０．１重量％〜１０重量％、インクの浸透を加速するのに用いられる湿潤剤及び界面活性剤を含む溶液』」及び「『印刷後』に『オフセット媒体上に沈殿した顔料』を『押圧』する『ヒートローラ』」は、それぞれ、本願発明１の「インクジェットインクの構成成分に反応性を示す沈殿剤を含有する定着剤組成物であって、オフセット媒体上において、前記インクジェットインクに関して下刷りされるよう構成されており、且つ前記沈殿剤が０．１ｗｔ％〜１０ｗｔ％にて存在する定着剤組成物」及び「インクジェットインクのインクジェット後に、オフセット媒体に圧力をかけられるよう構成されたカレンダ処理装置」に相当する。
　また、オフセット媒体に強制的に定着させられた上記エの顔料により形成される画像は、本願発明１の「耐久性のあるインクジェットインク画像」に相当する。
　
　カ　上記エ及びオから、引用発明１において、上記相違点に係る本願発明１の構成となすことは、当業者が、引用発明２及び周知技術に基づいて容易になし得たことである。
　
　キ　効果について
　本願発明１が奏する効果は、当業者が、引用発明１、引用発明２及び周知技術がそれぞれ奏する効果から予測し得た程度のものである。
　
　ク　まとめ
　以上のとおり、本願発明は、当業者が、引用例１に記載された発明、引用例２に記載された発明及び周知技術に基づいて容易に発明をすることができたものである。
　
２　本願発明２について
　本願発明２は、本願発明１において、定着剤組成物の沈殿剤の含有量に関する特定を省くとともに、発明のカテゴリを物から方法に変更したものであるから、本願発明２も、本願発明１と同様の理由により、当業者が、引用例１に記載された発明、引用例２に記載された発明及び周知技術に基づいて容易に発明をすることができたものである。
　
第５　むすび
　以上のとおり、本願発明１及び２は、当業者が、引用例１に記載された発明、引用例２に記載された発明及び周知技術に基づいて容易に発明をすることができたものであるから、特許法第２９条第２項の規定により特許を受けることができない。
　よって、結論のとおり審決する。